(57)【要約】【課題】送信装置でアラームが発生した際に、送信装置と受信装置間の光通信を切断しなくても、送信装置でアラームが発生したことを、受信装置へ知らせることができる光信号伝送システムを提供する。【解決手段】送信装置と受信装置とを光ファイバケーブルにより接続する光信号伝送システムを、送信装置は、電気信号を光信号に変換する電気−光変換部と、送信装置内の異常発生を検出するアラーム検出部と、アラーム検出部からの信号に基づいて、電気−光変換部で発生される光信号を、アラーム発生を意味する第１のオンオフパターンに制御する光信号制御部とを備え、受信装置は、送信装置からの光信号を電気信号に変換する光−電気変換部と、送信装置からの光信号の受光レベルを検出する受光レベル検出部と、該検出した受光レベルのオンオフ変化に基づいて第１のオンオフパターンを検出し、送信装置でアラームが発生したことを認識するアラーム認識部とを備えるように構成する。【選択図】図３
2012134811.tif 000002
【特許請求の範囲】
【請求項１】
送信装置と受信装置とを光ファイバケーブルにより接続し、前記送信装置と前記受信装置間で光信号を送受信する光信号伝送システムであって、
前記送信装置は、電気信号を光信号に変換する電気−光変換部と、当該送信装置内で異常が発生したことを検出するアラーム検出部と、アラーム検出部からの信号に基づいて、前記電気−光変換部で発生される光信号を、アラーム発生を意味する第１のオンオフパターンに制御する光信号制御部とを備え、
前記受信装置は、前記送信装置から受信した光信号を電気信号に変換する光−電気変換部と、前記送信装置から受信した光信号の受光レベルを検出する受光レベル検出部と、該受光レベル検出部で検出した受光レベルのオンオフ変化に基づいて前記第１のオンオフパターンを検出し、前記送信装置でアラームが発生したことを認識するアラーム認識部とを備えることを特徴とする光信号伝送システム。
【発明の詳細な説明】
【技術分野】
【０００１】
本発明は、光ファイバケーブルで接続された光信号伝送システムに関し、特に、親局と子局が光ファイバケーブルで接続された光信号伝送システムにおいて、子局で発生したアラームを親局へ通報する光信号伝送システムに関するものである。
【背景技術】
【０００２】
従来の光信号伝送システムについて説明する。図１に、光信号伝送システムを含む一般的な通信システムの構成例を示す。図１の通信システムにおいては、基地局１０と、基地局１０と高周波電気信号ケーブル（ＲＦケーブル）で接続される親局２０と、親局２０と光ファイバーケーブルで接続される子局３０（最大で２５６台接続）と、子局３０と無線により接続される端末装置４０を備えている。
親局２０は、基地局１０からの高周波電気信号（ＲＦ信号）を、レーザダイオード（ＬＤ：Laser Diode）により光信号に変換して子局３０に送信し、また子局３０からの光信号を、光ダイオード（ＰＤ：Photo Diode）によりＲＦ信号に変換して基地局１０へ送信する。子局３０は、親局２０からの光信号を、ＰＤにより電気信号に変換して無線にて端末装置４０に送信し、端末装置４０から無線で受信した電気信号を、ＬＤにより光信号に変換して親局２０へ送信する。
また、親局２０と子局３０は、それぞれ、自局で発生するアラームを監視する手段をもっている。親局２０や子局３０で発生したアラーム情報は、親局２０が集約し、基地局１０に報告する。
【０００３】
従来の光信号伝送システムにおいては、子局３０はアラームを検出した際、子局３０のＬＤをＯＦＦする。親局２０は、親局２０のＰＤで子局３０からの光信号を電気信号に変換し、その電圧値を読み取るが、子局３０がＬＤをＯＦＦしているため、電気信号に変換された電圧値は低く、光信号から電気信号への変換が異常である旨の光/電気変換アラームを検出し、基地局１０へ報告する。基地局１０は、親局２０から報告された光/電気変換アラームを検出することにより、子局３０でアラームが発生していることを認識する。他方、子局３０は、アラームが復旧した場合は、子局３０のＬＤをＯＮする。基地局１０は、親局２０からの光/電気変換アラームが復旧したことで、子局３０でアラームが復旧したことを認識する。
【０００４】
下記の特許文献１には、電気信号を光信号に変換して光ファイバを介して送信する送信装置と、光ファイバを介して受信した光信号を電気信号に変換する受信装置とを備える光信号伝送システムにおいて、送信装置は、当該送信装置内で異常を検知した場合に、伝送する光信号のレベルを低下させ、受信装置は、受信した光信号のレベルの低下によって異常を検出する技術が記載されている。
【先行技術文献】
【特許文献】
【０００５】
【特許文献１】特開２００１-３２６６１３公報
【発明の概要】
【発明が解決しようとする課題】
【０００６】
上述した特許文献１記載の従来方法の場合、送信装置でアラームが発生すると送信装置―受信装置間の光通信を切断するので、送信装置でアラームが発生している間は、送信装置―受信装置間で光通信はできず、アラームが復旧するまで運用を再開できないという課題があった。
本発明は、このような従来の課題を解決するために為されたもので、送信装置でアラームが発生した際に、送信装置と受信装置間の光通信を切断しなくても、送信装置でアラームが発生したことを、受信装置へ知らせることができる光信号伝送システムを提供することを目的とする。
【課題を解決するための手段】
【０００７】
上記課題を解決するための、本願発明の代表的な構成は、次のとおりである。すなわち、
送信装置と受信装置とを光ファイバケーブルにより接続し、前記送信装置と前記受信装置間で光信号を送受信する光信号伝送システムであって、
前記送信装置は、電気信号を光信号に変換する電気−光変換部と、当該送信装置内で異常が発生したことを検出するアラーム検出部と、アラーム検出部からの信号に基づいて、前記電気−光変換部で発生される光信号を、アラーム発生を意味する第１のオンオフパターンに制御する光信号制御部とを備え、
前記受信装置は、前記送信装置から受信した光信号を電気信号に変換する光−電気変換部と、前記送信装置から受信した光信号の受光レベルを検出する受光レベル検出部と、該受光レベル検出部で検出した受光レベルのオンオフ変化に基づいて前記第１のオンオフパターンを検出し、前記送信装置でアラームが発生したことを認識するアラーム認識部とを備えることを特徴とする光信号伝送システム。
【発明の効果】
【０００８】
本願発明によれば、送信装置でアラームが発生した際に、送信装置と受信装置間の光通信を切断しなくても、送信装置でアラームが発生したことを、受信装置へ知らせることができる。
【図面の簡単な説明】
【０００９】
【図１】光信号伝送システムを含む一般的な通信システムの構成例を示す図である。
【図２】本発明の実施例に係る親局の構成例を示す図である。
【図３】本発明の実施例に係る子局の構成例を示す図である。
【図４】本発明の実施例に係る子局アラーム発生時の、親局における光信号パターン検出タイミング例である。
【図５】本発明の実施例に係る子局アラーム復旧時の、親局における光信号パターン検出タイミング例である。
【図６】本発明の実施例に係る子局アラーム発生から復旧までの、親局における光信号のパターン認識のフロー図である。
【発明を実施するための形態】
【００１０】
本発明の実施形態の一例である光信号伝送システムを含む通信システムについて、図１を参照しながら説明する。図１は、光信号伝送システムを含む一般的な通信システムの構成例を示す図である。
本例の通信システムは、図１に示すように、基地局１０と、基地局１０と高周波電気信号ケーブル（ＲＦケーブル）で接続される複数の親局２０と、親局２０と光ファイバーケーブルで接続される複数の子局３０と、子局３０と無線により接続される複数の端末装置４０を備えている。
【００１１】
親局２０は、基地局１０からの高周波電気信号（ＲＦ信号）を、レーザダイオード（ＬＤ：Laser Diode）により光信号に変換して子局３０に送信し、また子局３０からの光信号を、光ダイオード（ＰＤ：Photo Diode）によりＲＦ信号に変換して基地局１０へ送信する。子局３０は、親局２０からの光信号をＰＤにより電気信号に変換し、無線にて端末装置４０に送信し、端末装置４０から無線で受信した電気信号を、ＬＤにより光信号に変換して親局２０へ送信する。すなわち、親局２０と子局３０から、光信号伝送システムが構成されている。
また、親局２０と子局３０は、それぞれ、自局で発生するアラームを監視する手段をもっている。親局２０や子局３０で発生したアラーム情報は、親局２０が集約し、基地局１０に報告する。
端末装置４０は、例えば携帯電話であり、親局２０と子局３０から構成される光信号伝送システムは、トンネル、地下街の中など、電波が届きにくい場所である「不感地」に設けられる。この光信号伝送システムを用いることにより、「不感地」にある携帯電話等と基地局１０との間で、通信を行うことが可能となる。
【００１２】
次に、親局２０の構成について、図２を用いて説明する。図２は、本発明の実施例に係る受信装置としての親局の構成例を示す図である。親局２０は、子局３０から受信した光信号２５を電気信号に変換する光−電気変換部（Ｏ／Ｅ）２３と、光−電気変換部（Ｏ／Ｅ）２３で変換された電気信号を増幅する増幅器２４と、子局３０からの光信号２５の受光レベルを検出する受光レベル検出部２２と、受光レベル検出部２２で検出した受光レベルのオンオフ変化に基づいて、光信号２５を送信した子局３０に異常、つまりアラームが発生したことを認識するアラーム認識部とを備える。親局２０は、送信装置としても機能し、基地局１０から受信した電気信号を光信号に変換する電気−光変換部（Ｅ／Ｏ）等も備えるが、受信装置としての本実施形態の説明に必要ないので説明を省略する。
【００１３】
次に、子局３０の構成について、図３を用いて説明する。図３は、本発明の実施例に係る送信装置としての子局の構成例を示す図である。子局２０は、端末装置４０から受信した無線信号３５を増幅する増幅器３４と、増幅器３４で増幅された電気信号を光信号に変換する電気−光変換部（Ｅ／Ｏ）３３と、子局３０で異常が発生したことを検出するアラーム検出部３１と、アラーム検出部３１からのアラーム検出信号に基づいて、電気−光変換部３３で発生される光信号を、アラーム発生を意味する第１のオンオフパターンに制御する光信号制御部３２とを備える。子局３０は、受信装置としても機能し、親局２０から受信した光信号を電気信号に変換する光−電気変換部（Ｏ／Ｅ）等も備えるが、送信装置としての本実施形態の説明に必要ないので説明を省略する。
【００１４】
次に、子局３０で異常が発生した場合の、子局３０と親局２０の動作について説明する。通信動作の運用中に子局３０のアラーム検出部３１がアラームを検出すると、子局３０の光信号制御部３２は、第１の所定の間隔（第１のオンオフパターン）で電気−光変換部（Ｅ／Ｏ）３３のＬＤのＯＮ／ＯＦＦを繰り返すよう制御する。この動作を一定時間継続したのちにＬＤをＯＮにし、通常の通信動作の運用に戻る。
その後、アラーム検出部３１が、アラーム復旧を検出すると、光信号制御部３２は、アラーム検出時とは異なる第２の所定の間隔（第２のオンオフパターン）で、ＬＤのＯＮ／ＯＦＦを繰り返すよう制御する。この動作を一定時間継続したのちにＬＤをＯＮにし、通常の通信動作の運用に戻る。
なお、子局３０でのアラームは、例えば、子局３０内の温度が所定の温度を超えた場合や、増幅器の出力が所定の出力を超えた場合などに検出される。
【００１５】
親局２０は、子局３０から受光した光信号を、光−電気変換部（Ｏ／Ｅ）２３のＰＤで光信号から電気信号に変換し、その電圧値を受光レベル検出部２２で測定して受光レベルを検出する。親局２０は、この電圧値を所定の一定間隔でサンプリングしており、その検出パターンが、子局３０における前記第１のオンオフパターンと合致すると、アラーム認識部２１が、子局３０で異常が発生した（アラームが発生した）と認識し、その後は、通常の通信動作の運用を行う、つまり、子局３０から受光した光信号を電気信号に変換し、基地局１０へ送信する。
また、親局２０は、前記サンプリングの検出パターンが、子局３０における前記第２のオンオフパターンと合致すると、子局３０で発生した異常が復旧した（アラームが復旧した）と認識し、その後は、通常の通信動作の運用を行う。
したがって、子局でアラームが発生している間においても、親局―子局間で光信号の通信を行うことができる。
【００１６】
具体例について、図４、図５を用いて説明する。図４は、本発明の実施例に係る子局アラーム発生時の、親局における光信号パターン検出タイミング例である。図５は、本発明の実施例に係る子局アラーム復旧時の、親局における光信号パターン検出タイミング例である。図４においては、上から順に、タイミング時刻と、子局３０から送信された光信号４１と、親局２０で受信した光信号４２と、親局２０における光信号検出タイミング（サンプル間隔１００ｍｓ）と、そのときの親局２０の判定結果が記載されている。
例えば、タイミング時刻が１００ｍｓのサンプル時点では、親局２０における受光レベルが所定値以上であるので、光信号４２がＯＮ、つまり子局３０のＬＤがＯＮと判定されている。続いて、２００ｍｓ、３００ｍｓのサンプル時点ではＯＦＦと判定され、４００ｍｓ〜６００ｍｓのサンプル時点ではＯＮと判定されている。さらに、７００ｍｓ、８００ｍｓのサンプル時点ではＯＦＦと判定され、９００ｍｓ以降のサンプル時点ではＯＮと判定されている。
以上をまとめると、親局２０における１００ｍｓ間隔のサンプリング動作において、連続して、ＯＦＦ２回、ＯＮ３回、ＯＦＦ２回、ＯＮ１回以上であることが判定されている。
【００１７】
図５においても、図４と同様に、上から順に、タイミング時刻と、子局３０から送信された光信号５１と、親局２０で受信した光信号５２と、親局２０における光信号検出タイミング（サンプル間隔１００ｍｓ）と、そのときの親局２０の判定結果が記載されている。
例えば、タイミング時刻が１００ｍｓのサンプル時点では、親局２０における受光レベルが所定値以上であるので、光信号５２がＯＮ、つまり子局３０のＬＤがＯＮと判定されている。続いて、２００ｍｓ、３００ｍｓのサンプル時点ではＯＦＦと判定され、４００ｍｓ〜８００ｍｓのサンプル時点ではＯＮと判定されている。さらに、９００ｍｓ〜１１００ｍｓのサンプル時点ではＯＦＦと判定され、１２００ｍｓ以降のサンプル時点ではＯＮと判定されている。
以上をまとめると、親局２０における１００ｍｓ間隔のサンプリング動作において、連続して、ＯＦＦ２回、ＯＮ５回、ＯＦＦ３回、ＯＮ１回以上であることが判定されている。
【００１８】
図４に示すように、本例では、子局３０は、子局アラーム発生時においてＬＤを、ＯＦＦ ２５０ｍｓ→ＯＮ ２５０ｍｓ→ＯＦＦ ２５０ｍｓ→ＯＮ（通常の運用）としている。また、図５に示すように、子局アラーム復旧時においてＬＤを、ＯＦＦ ２５０ｍｓ→ＯＮ ５００ｍｓ→ＯＦＦ ２５０ｍｓ→ＯＮ（通常の運用）としている。
このとき、光のＯＮ／ＯＦＦの判定を１００ｍｓ周期で行うようにしているので、検出パターンは、子局アラーム発生時においては、ＯＦＦ ２〜３回→ＯＮ ２〜３回→ＯＦＦ ２〜３回→ＯＮ １回以上となり、子局アラーム復旧時においては、ＯＦＦ ２〜３回→ＯＮ ４〜５回→ＯＦＦ ２〜３回→ＯＮ １回以上となるはずである。
したがって、検出パターンが、ＯＦＦ ２〜３回→ＯＮ ２〜３回→ＯＦＦ ２〜３回→ＯＮ １回以上であれば子局アラーム発生と判定でき、ＯＦＦ ２〜３回→ＯＮ ４〜５回→ＯＦＦ ２〜３回→ＯＮ １回以上であれば子局アラーム復旧と判定できる。
【００１９】
次に、親局がパターンを認識するアルゴリズムについて、図６を用いて説明する。図６は、本発明の実施例に係る子局アラーム発生から復旧までの、親局における光信号のパターン認識のフロー図である。図６において、親局２０は、サンプル間隔１００ｍｓで光信号検出有無の判定を行うものとする。
まず、運用状態（光ＯＮの状態）から始まり、光ＯＦＦの状態をカウントするＯＦＦカウンタ（ＯＦＦ−Ｃ）と、光ＯＮの状態をカウントするＯＮカウンタ（ＯＮ−Ｃ）を、いずれもゼロクリアし（ステップＦ００１）、光の状態がＯＦＦになるまで待つ（ステップＦ００２）。光ＯＦＦ状態になると、次に光がＯＮ状態になるまで光のＯＦＦ状態を、サンプル間隔である１００ｍｓ毎にカウントする（ステップＦ００３〜Ｆ００４）。その後、光ＯＮ状態になると（ステップＦ００４でＯＮ）、パターン認識を開始する。
【００２０】
すなわち、ＯＦＦカウンタ（ＯＦＦ−Ｃ）が２〜３回でない場合は（ステップＦ００５でＮｏ）、処理を終了する（ステップＦ２へ）。ＯＦＦカウンタ（ＯＦＦ−Ｃ）が２〜３回である場合、つまり、光ＯＦＦ状態が連続して２〜３回検出された場合は（ステップＦ００５でＹｅｓ）、ＯＦＦカウンタ（ＯＦＦ−Ｃ）がゼロクリアされ（ステップＦ００６）、次に光ＯＦＦ状態になるまで光ＯＮ状態を、サンプル間隔である１００ｍｓ毎にカウントする（Ｆ００６〜Ｆ００８）。
その後、光ＯＦＦ状態になると（ステップＦ００８でＯＦＦ）、ＯＮカウンタ（ＯＮ−Ｃ）が２〜５回以外である場合は（ステップＦ００９でＮｏ）、パターン認識を中止し処理を終了する（ステップＦ２へ）。ＯＮカウンタ（ＯＮ−Ｃ）が２〜５回である場合、つまり、光ＯＮ状態が連続して２〜５回検出された場合は（ステップＦ００９でＹｅｓ）、次に光がＯＮ状態になるまで光のＯＦＦ状態を、サンプル間隔である１００ｍｓ毎にカウントする（ステップＦ０１０〜Ｆ０１１）。
【００２１】
その後、光ＯＮ状態になると（ステップＦ０１１でＯＮ）、ＯＦＦカウンタ（ＯＦＦ−Ｃ）が２〜３回でない場合は（ステップＦ０１２でＮｏ）、処理を終了する。ＯＦＦカウンタ（ＯＦＦ−Ｃ）が２〜３回である場合、つまり、光ＯＦＦ状態が連続して２〜３回検出された場合は（ステップＦ０１２でＹｅｓ）、先に検出したＯＮカウンタ（ＯＮ−Ｃ）の値により、アラーム発生か、それともアラーム復旧かを判定する。
すなわち、先に検出したＯＮカウンタ（ＯＮ−Ｃ）が２〜３回である場合は（ステップＦ０１３でＹｅｓ）、アラーム発生と判定し、アラーム発生処理を行って、処理を終了する。先に検出したＯＮカウンタ（ＯＮ−Ｃ）が２〜３回でない場合、つまり、４〜５回である場合は（ステップＦ０１３でＮｏ）、アラーム復旧と判定し、アラーム復旧処理を行って、処理を終了する。
【００２２】
以上説明したように、親局２０は、図６の例では、光ＯＦＦ状態を連続して２〜３回検出し、続いて、光ＯＮ状態を連続して２〜３回検出し、続いて、光ＯＦＦ状態を連続して２〜３回検出した場合、すなわち、第１のオンオフパターンを検出した場合は、アラーム発生と認識する。また、光ＯＦＦ状態を連続して２〜３回検出し、続いて、光ＯＮ状態を連続して４〜５回検出し、続いて、光ＯＦＦ状態を連続して２〜３回検出した場合、すなわち、第２のオンオフパターンを検出した場合は、アラーム復旧と認識するものである。
したがって、子局である送信装置でアラームが発生した際に、送信装置と親局である受信装置間の光通信を切断しなくても、送信装置でアラームが発生したことを、受信装置へ知らせることができる。
【００２３】
なお、上述の実施例では、送信装置を子局とし、受信装置を親局としたが、これに限られるものではない。
また、本発明は、本発明に係る処理を実行するシステムとしてだけでなく、装置、方法として、或いは、このような方法やシステムを実現するためのプログラムや当該プログラムを記録する記録媒体などとして把握することができる。
また、本発明は、ＣＰＵがメモリに格納された制御プログラムを実行することにより制御する構成としてもよく、また、ハードウエア回路として構成してもよい。
【００２４】
本明細書には、次の発明が含まれる。
第１の発明は、
送信装置と受信装置とを光ファイバケーブルにより接続し、前記送信装置と前記受信装置間で光信号を送受信する光信号伝送システムであって、
前記送信装置は、電気信号を光信号に変換する電気−光変換部と、当該送信装置内で異常が発生したことを検出するアラーム検出部と、アラーム検出部からの信号に基づいて、前記電気−光変換部で発生される光信号を、アラーム発生を意味する第１のオンオフパターンに制御する光信号制御部とを備え、
前記受信装置は、前記送信装置から受信した光信号を電気信号に変換する光−電気変換部と、前記送信装置から受信した光信号の受光レベルを検出する受光レベル検出部と、該受光レベル検出部で検出した受光レベルのオンオフ変化に基づいて前記第１のオンオフパターンを検出し、前記送信装置でアラームが発生したことを認識するアラーム認識部とを備えることを特徴とする光信号伝送システム。
このように構成すると、送信装置でアラームが発生した際に、送信装置と受信装置間の光通信を切断しなくても、送信装置でアラームが発生したことを、受信装置へ知らせることができる。
【００２５】
第２の発明は、
前記第１の発明に記載の光信号伝送システムであって、
前記送信装置のアラーム検出部は、当該送信装置内で異常が復旧したことを検出するものであり、前記光信号制御部は、前記アラーム検出部からの信号に基づいて、前記電気−光変換部で発生される光信号を、アラーム復旧を意味する第２のオンオフパターンに制御するものであり、
前記受信装置のアラーム認識部は、前記受光レベル検出部で検出した受光レベルのオンオフ変化に基づいて前記第２のオンオフパターンを検出し、前記送信装置でアラームが復旧したことを認識するものであることを特徴とする光信号伝送システム。
このように構成すると、送信装置でアラームが復旧したことを、受信装置へ知らせることができる。
【００２６】
第３の発明は、
受信装置との間を光ファイバケーブルにより接続され、前記受信装置へ光信号を送信する送信装置であって、
電気信号を光信号に変換する電気−光変換部と、当該送信装置内で異常が発生又は復旧したことを検出するアラーム検出部と、アラーム検出部からの信号に基づいて、前記電気−光変換部で発生される光信号を、アラーム発生を意味する第１のオンオフパターン、又はアラーム復旧を意味する第２のオンオフパターンに制御する光信号制御部とを備えることを特徴とする送信装置。
このように構成すると、送信装置と受信装置間の光通信を切断しなくても、送信装置でアラームが発生又は復旧したことを、受信装置へ知らせることができる。
【００２７】
第４の発明は、
送信装置との間を光ファイバケーブルにより接続され、前記送信装置から光信号を受信する受信装置であって、
前記送信装置から受信した光信号を電気信号に変換する光−電気変換部と、前記送信装置から受信した光信号の受光レベルを検出する受光レベル検出部と、該受光レベル検出部で検出した受光レベルのオンオフ変化に基づいて、アラーム発生を意味する第１のオンオフパターン、又はアラーム復旧を意味する第２のオンオフパターンを検出し、前記送信装置でアラームが発生、又は復旧したことを認識するアラーム認識部とを備えることを特徴とする受信装置。
このように構成すると、送信装置と受信装置間の光通信を切断しなくても、送信装置でアラームが発生又は復旧したことを、受信装置で認識することができる。
【００２８】
第５の発明は、
送信装置と受信装置とを光ファイバケーブルにより接続し、前記送信装置と前記受信装置間で光信号を送受信する光信号送受信方法であって、
前記送信装置は、当該送信装置内でアラームが発生したことを検出すると、アラーム発生を意味する第１のオンオフパターンを含む光信号を前記受信装置へ送信し、
前記受信装置は、前記第１のオンオフパターンを含む光信号を受信すると、前記送信装置でアラームが発生したことを認識することを特徴とする光信号送受信方法。
このように構成すると、送信装置でアラームが発生した際に、送信装置と受信装置間の光通信を切断しなくても、送信装置でアラームが発生したことを、受信装置で認識することができる。
【符号の説明】
【００２９】
１０・・基地局、２０・・親局、２１・・アラーム認識部、２２・・受光レベル検出部、２３・・光−電気変換部、２４・・増幅部、３０・・子局、３１・・アラーム検出部、３２・・光信号制御部、３３・・電気−光変換部、３４・・増幅部、４０・・端末装置。
【図１】
2012134811.tif 000003
【図２】
2012134811.tif 000004
【図３】
2012134811.tif 000005
【図４】
2012134811.tif 000006
【図５】
2012134811.tif 000007
【図６】
2012134811.tif 000008